(57)【要約】【課題】コマの検索がしやすいコマ選択画面を表示する。【解決手段】プリント注文受付装置において、コマ選択画面を表示する前に、過去の注文履歴を絞り込み条件としてコマ選択画面に含まれるコマを絞り込む。過去の注文履歴としては、過去にプリント指定されたコマを特定するためのプリントコマ特定情報や過去の注文日付などが含まれる。絞り込み条件選択画面で「再プリント」が選択された場合には、プリントコマ特定情報に基づいて、メモリーカード内のコマの中から、過去に注文されたコマを検索し、それをコマ選択画面に表示する。絞り込み条件選択画面で「前回注文時以降の撮影コマから選ぶ」が選択された場合には、前回の注文日付以降のコマを検索し、それをコマ選択画面に表示する。コマが絞り込まれるのでコマの検索がしやすい。【選択図】        図１１
2004302762.tif 000002
【特許請求の範囲】
【請求項１】
画像情報記録媒体からコマ画像を取り込み、取り込んだコマ画像のコマ選択画面をディスプレイに出力し、前記画面でプリントコマとして指定されたコマ画像のプリント注文を受け付けるプリント注文受付装置において、
過去の注文履歴情報に基づいて、前記コマ選択画面に優先的に表示するコマの絞り込みを行うコマ絞り込み手段を備えたことを特徴とするプリント注文受付装置。
【請求項２】
前記注文履歴情報には、過去に注文したコマを特定するコマ特定情報又は過去の注文日付情報が含まれることを特徴とする請求項１記載のプリント注文受付装置。
【請求項３】
前記注文履歴情報には、さらに、過去の注文操作履歴情報が含まれており、この注文操作履歴情報に基づいて、操作案内を行うことを特徴とする請求項１又は２記載のプリント注文受付装置。
【請求項４】
注文を受け付ける際に、その回の注文履歴情報を、注文を受け付けた顧客に発行する顧客カードに書き込むことを特徴とする請求項１〜３いずれか記載のプリント注文受付装置。
【請求項５】
注文を受け付ける際に、その回の注文履歴情報を、前記画像情報記録媒体に書き込むことを特徴とする請求項１〜３いずれか記載のプリント注文受付装置。
【請求項６】
注文を受け付ける際に、その回の注文履歴情報を、装置本体と通信可能に接続されたデータストレージデバイスに記録することを特徴とする請求項１〜３いずれか記載のプリント注文受付装置。
【請求項７】
画像情報記録媒体からコマ画像を取り込み、取り込んだコマ画像のコマ選択画面をディスプレイに出力し、前記画面でプリントコマとして指定されたコマ画像のプリント注文を受け付けるプリント注文受付方法において、
過去の注文履歴情報に基づいて、前記コマ選択画面に優先的に表示するコマの絞り込みを行うことを特徴とするプリント注文受付方法。
【請求項８】
前記注文履歴情報には、過去に注文したコマを特定するコマ特定情報又は過去の注文日付情報が含まれることを特徴とする請求項７記載のプリント注文受付方法。
【請求項９】
前記注文履歴情報には、さらに、過去の注文操作履歴情報が含まれており、この注文操作履歴情報に基づいて、操作案内を行うことを特徴とする請求項７又は８記載のプリント注文受付方法。
【請求項１０】
注文を受け付ける際に、その回の注文履歴情報を、注文を受け付けた顧客に発行する顧客カードに書き込むことを特徴とする請求項７〜９いずれか記載のプリント注文受付方法。
【請求項１１】
注文を受け付ける際に、その回の注文履歴情報を、前記画像情報記録媒体に書き込むことを特徴とする請求項７〜９いずれか記載のプリント注文受付方法。
【請求項１２】
注文を受け付ける際に、その回の注文履歴情報を、装置本体と通信可能に接続されたデータストレージデバイスに記録することを特徴とする請求項７〜９いずれか記載のプリント注文受付方法。
【発明の詳細な説明】
【０００１】
【発明の属する技術分野】
本発明は、画像記録媒体から取り込んだコマ画像のコマ選択画面をディスプレイに出力し、前記画面でプリントコマとして指定されたコマ画像のプリント注文を受け付けるプリント注文受付装置及び方法に関するものである。
【０００２】
【従来の技術】
デジタルカメラで撮影した画像のプリント注文を受け付けるプリント注文受付装置が知られている（例えば、下記特許文献１及び２参照）。プリント注文受付装置は、メモリーカードなどの画像記録媒体からコマ画像を読み取るカードリーダと、カードリーダを介して取り込んだコマをコマ選択画面にインデックス表示するディスプレイとを備えている。コマ選択画面には、例えば、複数コマのサムネイル画像がマトリックス状に配列されて表示される。プリント注文受付装置には、注文者自らが機器を操作して注文操作を行うセルフ機と呼ばれるタイプがある。こうしたセルフ機では、注文者は、コマ選択画面で画像を確認しながら、プリントしたいコマを検索して、プリントコマの指定を行う。コマ選択画面内のコマ数が多い場合には、全コマを１度にディスプレイに表示することができないので、コマ選択画面をスクロールさせたり、ページ送りしながら全コマの確認を行ってコマを検索する。
【０００３】
ところで、近年、画像記録媒体の大容量化が急速に進んでおり、数百〜数千コマの画像を記録することが可能なＧＢ（ギガバイト）クラスの記憶容量を持つ記録媒体が一般化しつつある。そうすると、１つのコマ選択画面に大量のコマをインデックス表示したのでは、コマ数が多すぎてコマ検索が煩雑化する。そこで、特許文献１に記載の装置では、コマ画像が階層化された複数のディレクトリに分類して格納されている場合には、各ディレクトリ毎にそこに格納されたコマに基づいてコマ選択画面を生成し、これらを選択的に切り替えて表示するようにしている。他方、特許文献２に記載の装置では、予め検索条件を記述した検索情報ファイルを作成し、この検索条件に合致したコマ画像のみを抽出して、抽出したコマのみをコマ選択画面に表示するようにしている。
【０００４】
【特許文献１】
特開２００１−１０９８７７号公報
【特許文献２】
特開２００２−０４９６３４号公報
【０００５】
【発明が解決しようとする課題】
しかしながら、複数のコマ選択画面にコマを分類して表示するためには、特許文献１記載の方法では、予め記録媒体に階層化されたディレクトリを作成する必要があり、他方、特許文献２記載の方法では、予め検索情報ファイルを作成する必要がある。こうした事前準備作業はそれ自体煩雑なものになりがちである。
【０００６】
また、セルフ機によるプリント注文では、初回の注文時にはもちろんのこと、２回目以降の注文時でも、注文頻度が少ない場合には前回注文時から間隔が空いてしまっているので、操作にとまどうユーザーが多いという問題があった。
【０００７】
本発明は、煩雑な事前作業を行うことなくコマの検索がしやすいコマ選択画面を表示するプリント注文受付装置及び方法を提供することを目的とする。
【０００８】
本発明の別の目的は、操作方法がわかりやすいプリント注文受付装置及び方法を提供することである。
【０００９】
【課題を解決するための手段】
前記目的を達成するために、本発明のプリント注文受付装置は、画像情報記録媒体からコマ画像を取り込み、取り込んだコマ画像のコマ選択画面をディスプレイに出力し、前記画面でプリントコマとして指定されたコマ画像のプリント注文を受け付けるプリント注文受付装置において、過去の注文履歴情報に基づいて、前記コマ選択画面に優先的に表示するコマの絞り込みを行うコマ絞り込み手段を備えたことを特徴とする。
【００１０】
前記注文履歴情報には、過去に注文したコマを特定するコマ特定情報又は過去の注文日付情報が含まれるのば好ましい。
【００１１】
前記注文履歴情報には、さらに、過去の注文操作履歴情報が含まれており、この注文操作履歴情報に基づいて、操作案内が行われることが好ましい。
【００１２】
注文を受け付ける際に、その回の注文履歴情報を、注文を受け付けた顧客に発行する顧客カード，前記画像情報記録媒体，装置本体と通信可能に接続されたデータストレージデバイスのいずれかに記録するのが好ましい。
【００１３】
また、本発明のプリント注文受付方法は、画像情報記録媒体からコマ画像を取り込み、取り込んだコマ画像のコマ選択画面をディスプレイに出力し、前記画面でプリントコマとして指定されたコマ画像のプリント注文を受け付けるプリント注文受付方法において、過去の注文履歴情報に基づいて、前記コマ選択画面に優先的に表示するコマの絞り込みを行うことを特徴とする。
【００１４】
前記注文履歴情報には、過去に注文したコマを特定するコマ特定情報又は過去の注文日付情報が含まれることが好ましい。
【００１５】
前記注文履歴情報には、さらに、過去の注文操作履歴情報が含まれており、この注文操作履歴情報に基づいて、操作案内が行われることが好ましい。
【００１６】
注文を受け付ける際に、その回の注文履歴情報を、注文を受け付けた顧客に発行する顧客カード，前記画像情報記録媒体，装置本体と通信可能に接続されたデータストレージデバイスのいずれかに記録するのが好ましい。
【００１７】
【発明の実施の形態】
図１に示すプリント注文受付装置１０は、注文者が持ち込んだメモリーカード１２から、プリントコマとして指定されたコマの画像データを、通信ケーブルを介して受付用ストレージデバイス１３に転送することでプリント注文を受け付ける。プリント注文受付装置１０は、ＤＰＥショップやコンビニエンスストアの店頭に設置され、注文者自らが注文操作を行ういわゆるセルフ機である。プリント注文が完了すると、受付伝票１５が出力される。注文者は、この受付伝票１５を店内のカウンターに持ち込み、支払いを行う。
【００１８】
デジタルカメラで使用されるメモリーカード１２の種類には、例えば、スマートメディア（商品名），ｘＤピクチャーカード（商品名），コンパクトフラッシュ（登録商標），ＰＣカードタイプのメモリーカードなど各種のものがある。また、メモリーカードの他、超小型磁気ディスクであるマイクロドライブ（商品名）などの記録媒体も使用される。このメモリーカード１２の種類は、デジタルカメラに応じて決まる。
【００１９】
メモリーカード１２に、撮影した画像データを格納する場合、その基本的な格納方式や画像ファイルフォーマット等は、ＪＥＩＴＡ（社団法人電子情報技術産業協会）によって策定されたＤＣＦ（Ｄｅｓｉｇｎ  ｒｕｌｅ  ｆｏｒ  Ｃａｍｅｒａ  Ｆｉｌｅ  ｓｙｓｔｅｍ）規格やＥｘｉｆ規格によって規定されている。メモリーカード１２には、ＤＣＦの仕様に従って画像フォルダが作成され、撮影された画像データは、Ｅｘｉｆ規格の仕様に従った所定のファイル形式（例えば、ＪＰＥＧ形式など）の画像ファイルとして前記画像フォルダに格納される。
【００２０】
図２に示すように、Ｅｘｉｆ形式の画像ファイルは、例えば、ＤＳＣＦ０００ｎ．ＪＰＧというファイル名が付されて、撮影順にコマ番号が振られる。各画像ファイルは、ピクセルデータからなる画像データと、撮影条件，撮影日付，カメラの機種名などが含まれる付帯情報とから構成される。付帯情報は、ＥｘｉｆＴａｇと呼ばれるエリアに格納される。また、画像データには、プリント用に使用される本画像データの他に、本画像データよりも画素数が少ないサムネイル画像データが含まれる。このサムネイル画像データは、プレビュー用の画像データとして用いられる。
【００２１】
プリント注文受付装置１０は、装置本体１６，ディスプレイ１７，マウス１８からなる。装置本体１６の前面には、種類が異なる第１〜第３のメモリーカード１２ａ〜１２ｃをそれぞれ装填する３つのカードスロット１４ａ，１４ｂ，１４ｃが設けられている。これにより、各種のメモリーカードに記録されたコマ画像のプリント注文を受注できるようにしている。各カードスロット１４ａ，１４ｂ，１４ｃの奥には、それぞれのメモリーカード１２にアクセスしてデータを読み取るカードリーダ（図９符号５７ａ，５７ｂ，５７ｃ参照）が配置されている。各カードスロット１４ａ，１４ｂ，１４ｃの横には、各カードリーダ１４ａ，１４ｂ，１４ｃがアクセス中であることを表示するアクセスランプ１９ａ，１９ｂ，１９ｃが設けられている。なお、本例では、カードスロットが３つの例で説明しているが、これ以上のスロットを設けてもよい。
【００２２】
装置本体１６にはディスプレイ１７が接続されており、このディスプレイ１７には、注文操作画面が表示される。注文者は、この注文操作画面の案内に従って、プリントメニューやプリントサイズの選択，プリントコマ指定などを行ってプリント注文操作をする。操作画面には、操作部であるマウス１８に連動するポインタ２１が表示される。注文者は、このポインタ２１を各種の選択項目に合わせて、クリック操作をすることで注文内容を指定する。なお、ディスプレイ１７に、タッチパネル式のディスプレイを使用して、これを操作部として使用してもよい。もちろん、キーボードなどを操作部として使用してもよいが、操作方法の簡略化を考慮すると、マウスやタッチパネル式のディスプレイが好ましい。
【００２３】
装置本体１６の前面には、カードスロット１４ａの上に、顧客カード２２を挿入する挿入口２３が設けられている。顧客カード２２は、１度プリント注文を行った注文者に対して発行されるカードであり、顧客情報を記憶する。この顧客情報には、過去の注文履歴が含まれており、プリント注文受付装置１０は、この注文履歴に基づいて、操作案内を実行するとともに、プリントコマを指定するためのコマ選択画面（図８の符号３７参照）に優先的に表示するコマの絞り込みなどを行う。
【００２４】
顧客情報は、図３に示すように、大きく分けて、１．ＩＤ関連情報，２．注文履歴，３．その他の情報からなる。ＩＤ関連情報は、例えば、顧客ＩＤ番号，名前，連絡先からなる。顧客ＩＤ番号は、プリント業者が顧客を管理するためのＩＤ番号で、初回の注文時に割り当てられる。連絡先には、住所，電話番号，Ｅ−Ｍａｉｌアドレスが含まれる。名前及び連絡先は、初回の注文時に操作画面から入力される。
【００２５】
注文履歴には、過去に注文した注文日付，プリントコマ特定情報，操作履歴情報が含まれる。プリントコマ特定情報は、プリントしたコマを特定するための情報であり、例えば、注文したコマのファイル名，ファイルサイズ，ＣＲＣコードからなる。さらに、コマがサブフォルダに格納されているような場合には、その格納場所の情報が含まれる。このプリントコマ特定情報に基づいて、過去に注文を受け付けたコマと、それ以外のコマとを識別することにより、コマ選択画面３７に表示するコマの絞り込みが行われる。
【００２６】
上述したように、デジタルカメラで撮影したコマのファイル名は、コマ番号が撮影順に連番で振られるので、例えば、メモリーカードを初期化した場合には、コマ番号も１番から振り直される。そうすると、前回注文したコマと、それ以降に撮影されたコマとが同じファイル名になる場合もあるので、ファイル名のみではコマの同一性を正確に判別することはできない。そこで、プリントコマ特定情報として、ファイル名の他に、ファイルサイズやＣＲＣ（Ｃｙｃｌｉｃ  Ｒｅｄｕｎｄａｎｃｙ  Ｃｈｅｃｋ  ）  コードが記録される。ＣＲＣコードは、周知のように、ファイル内のデータに基づいて生成される検査用のコードであり、ファイル内のデータが少しでも異なれば、異なる値のコードが生成される。このため、２つのファイルからそれぞれ生成された２つのＣＲＣコードを比較することにより、ファイルの同一性を判断することができる。
【００２７】
操作履歴情報には、過去に持ち込まれたメディアの種類，プリントメニューやプリントサイズなど操作画面で選択した項目，プリントが出来上がったことを連絡する連絡方法（例えば、Ｅ−Ｍａｉｌで通知するなど）などが含まれる。プリント注文受付装置１０は、この操作履歴情報に基づいて、操作案内を実行する。その他の情報には、例えば、利用量に応じて注文者に割引特典を与えるサービスポイントの累積値が含まれる。
【００２８】
初回の注文時には、こうした顧客情報が新規に記録されて、顧客カード２２が発行される。次回からは、顧客カード２２を使用して注文を行うと、顧客カード２２に、その回の注文履歴が追記されて注文者に返却される。顧客カード２２としては、例えば、支持体上に磁気記録層を設けた磁気記録カードが使用される。挿入口２３の奥には、この磁気記録層にアクセスして、情報の読み出しと、書き込みとを行うリーダライタ（図９の符号５８参照）が配置されている。もちろん、顧客カード２２としては、磁気記録カードの他に、無線タグなどの小型ＩＣメモリを内臓したＩＣカードなどを使用してもよい。
【００２９】
図１に示すように、操作画面の初期画面３１には、顧客カード２２の挿入を促すメッセージや、注文操作を開始するためのスタートボタン３１ａが表示される。ここで、スタートボタン３１ａをクリックすると、操作案内が開始される。顧客カード２２が挿入されている場合には、顧客カード２２から顧客情報が読み出されて、過去の注文履歴に基づいた操作案内が開始される。他方、初回の注文時など、顧客カード２２が無い場合には、標準の操作案内が開始される。スタートボタン３１ａがクリックされると、操作画面が、初期画面から、図４に示すメッセージ表示画面３２に切り替わる。
【００３０】
このメッセージ表示画面３２には、メモリーカード１２の装填を促すメッセージが表示される。顧客カード２２が有る場合には、前回の注文時に使用したメモリーカード１２に対応したカードスロット１４のアクセスランプが点滅する。メッセージ表示画面３２には、「前回と同じ種類のメモリーカードなら、ランプが点滅しているスロットへ入れてください。」という案内メッセージが表示される。メモリーカードの種類はデジタルカメラによって決まるから、ユーザーの多くは１種類のメモリーカードを使用してる場合が多く、そのため、前回持ち込まれたメモリーカードと、今回持ち込まれたメモリーカードとは同じ種類である可能性が高い。そこで、前回持ち込まれたメモリーカードに基づいてカードスロットを案内している。
【００３１】
各カードスロット１４ａ，１４ｂ，１４ｃには、メモリーカード１２の装填を検知する検知センサ（図示せず）が設けられており、メモリーカード１２が装填されると検知センサはＣＰＵ（図９に示す符号５１参照）に対して検知信号を送る。ＣＰＵは、この検知信号を受けると、メモリーカード１２が装填されたと判断して、メッセージ表示画面３２を、図５に示すプリントメニュー選択画面３３に切り替える。
【００３２】
プリントメニュー選択画面３３には、「全コマプリント」，「ＤＰＯＦプリント」，「コマを選んでプリント」の３種類のメニュー項目に対応するメニュー選択ボタン３３ａ，３３ｂ，３３ｃが表示される。これらの選択ボタン３３ａ，３３ｂ，３３ｃにポインタ２１を合わせてクリック操作することでメニューの選択が行われる。「全コマプリント」は、メモリーカード１２内の全コマをプリント注文するメニューであり、これを選択した場合には、プリント注文受付装置１０によって、メモリーカード１２内の全コマに対して一括してプリントコマの指定がなされる。
【００３３】
「ＤＰＯＦプリント」は、メモリーカード１２に記録されたＤＰＯＦ（Ｄｉｇｉｔａｌ  Ｐｒｉｎｔ  Ｏｒｄｅｒ  Ｆｏｒｍａｔ）ファイルに基づいてプリント注文するメニューである。ＤＰＯＦファイルは、周知のように、デジタルカメラで作成されるプリント注文用のファイルであり、撮影時又は撮影後に各コマに対してプリントするか否かの情報が格納される。このＤＰＯＦファイルは、各コマのデータとともに、メモリーカード１２へ記録される。「ＤＰＯＦプリント」が選択された場合には、プリント注文受付装置１０は、ＤＰＯＦファイルを読み込み、その情報に基づいて一括してプリントコマの指定を行う。
【００３４】
「コマを選んでプリント」は、コマ選択画面３７に表示されるコマの中から、注文者が所望のコマを選んでプリントコマを１コマずつ指定するメニューである。
【００３５】
顧客カード２２が有る場合には、プリントメニュー選択画面３３には、前回選択したメニュー項目を示す案内メッセージ３３ｄが表示される。この案内メッセージ３３ｄは、例えば、吹き出し枠に、「前回はコレ」といったメッセージを挿入した形態で表示される。この案内メッセージ３３ｄを表示する目的は、注文者に前回選択した選択ボタンを知らせることにあるから、本例の形態に限らず、他の形態でも構わない。例えば、前回選択された選択ボタンを、他の選択ボタンと識別できるように輝度を変えて表示したり、選択ボタンの近傍にランプ表示を設け、これを点灯あるいは点滅させるというように、各種の形態が考えられる。
【００３６】
プリントメニューが選択されると、図６に示すプリントサイズ選択画面３４が表示される。このプリントサイズ選択画面３４には、異なる複数のプリントサイズに対応した複数の選択ボタン３４ａ，３４ｂ，３４ｃが表示される。また、顧客カード２２がある場合には、プリントサイズ選択画面３４にも、プリントメニュー選択画面３３と同様に、前回選択した項目を案内する案内メッセージ３４ｄが表示される。なお、本例では、プリントサイズとして、比較的使用頻度が高い、Ｌサイズ，２Ｌサイズ，ハガキサイズの３サイズを例にしているが、さらに、各種のプリントサイズを追加してもよい。
【００３７】
図７は、コマ絞り込み画面３６を示す。プリントメニュー選択画面３３で「コマを選んでプリント」が選択されると、プリントサイズの選択の後、コマ絞り込み画面３６が表示される。「全コマプリント」，「ＤＰＯＦプリント」が選択された場合には、プリント注文受付装置１０が一括してプリントコマ指定を行うので、コマ絞り込み画面３６は表示されずに、直ちに注文受付処理が開始される。
【００３８】
コマ絞り込み画面３６は、コマ選択画面３７に優先的に表示するコマを絞り込むための絞り込み条件を入力する画面である。コマ絞り込み画面３６には、「再プリント」，「前回注文時以降に撮影したコマから選ぶ」，「全コマから選ぶ」の３つの項目に対応する選択ボタン３６ａ，３６ｂ，３６ｃが表示される。「再プリント」は、過去に注文したコマを焼き増しする場合に選択される項目であり、これを選択すると、注文履歴に基づいて過去に注文したコマが検索され、それらのコマのみがコマ選択画面３７に表示される。
【００３９】
「前回注文時以降に撮影したコマから選ぶ」は、前回注文した日付以降に撮影されたコマを注文する場合に選択される項目であり、これを選択すると、注文履歴に基づいて前回の注文日付以降のコマが検索されて、それらのコマのみがコマ選択画面３７に表示される。「全コマから選ぶ」は、メモリーカード１２内の全コマから選ぶ場合に選択される項目であり、これが選択されると、コマの絞り込みは行われず、コマ選択画面３７に全コマが表示される。このコマ絞り込み画面３６においても、過去に選択した項目を案内する案内メッセージ３６ｄが表示される。
【００４０】
図８は、コマ選択画面３７を示す。コマ絞り込み画面３６でいずれかの項目が選択されると、コマ選択画面３７に切り替わる。コマ選択画面３７には、複数のコマのサムネイル画像がマトリックス状に配列されて表示される。各コマのサムネイル画像は、各コマの画像ファイルから読み出されたサムネイル画像データが使用される。画像ファイルにサムネイル画像データが含まれていない場合には、本画像データを縮小して使用する。
【００４１】
注文者は、このコマ選択画面３７において、各コマの画像内容を確認しながら、所望のコマを検索しプリントコマとして指定する。プリントコマの指定は、ポインタ２１を所望のコマに合わせてクリック操作することにより行われる。コマが指定されると、指定されたことを示すフレーム３７ａが表示される。１画面には、例えば、縦３コマ×横４コマで計１２コマが表示される。ページ送りボタン３７ｂをクリックすると、ページが切り替えられて次のページに切り替えられる。
【００４２】
このコマ選択画面３７では、選択された絞り込み条件に応じて絞り込まれたコマのみが表示される。例えば、「再プリント」を選択した場合には、プリントコマ特定情報に基づいて過去にプリント注文したコマが検索され、それらのコマのみが表示される。他方、「前回注文時以降に撮影したコマから選ぶ」を選択すると、前回注文時以降の撮影日付のコマを検索し、検索されたコマのみが表示される。このように、絞り込み条件に応じてコマの絞り込みが行われ、条件に合致しないコマに優先して表示されるので、所望のコマを検索しやすい。メモリーカード１２の記憶容量が大容量化すればするほどコマ数が増えるので、こうした効果は大きい。
【００４３】
なお、絞り込まれたコマを優先的に表示する方法として、本例では、絞り条件に合致したコマのみをコマ選択画面に表示しているが、コマの表示順序を変更する方法でもよい。この場合には、例えば、絞り込み条件に合致したコマがコマ選択画面の前半のページに割り当てられ、他のコマが後半に割り当てられる。
【００４４】
「全コマから選ぶ」が選択された場合には、メモリーカード１２内の全コマが、例えば、コマ番号順に配列される。復帰ボタン３７ｃは、コマ絞り込み画面３６に復帰するためのボタンで、このボタン３７ｃを使用することで、絞り込み条件を変更することができる。注文実行ボタン３７ｄは、注文受付処理を開始させるためのボタンである。注文受付処理では、指定されたコマの画像ファイルを、メモリーカード１２から受け付け用ストレージデバイス１３へ転送する転送処理と、受付伝票発行処理とが行われる。
【００４５】
この注文受付処理が終了した後、顧客情報書き込み処理が行われる。顧客カード２２が有る場合には、今回分の注文履歴が顧客カード２２に追記されるとともに、今回分のサービスポイントが付加されてポイントが更新される。初回の場合には、入力されたＩＤ関連情報，今回分の注文履歴，サービスポイントが記録され、顧客情報が記録された顧客カード２２が発行される。
【００４６】
図９は、プリント注文受付装置１０の電気構成を示すブロック図である。ＣＰＵ５１は、マウス１８からの操作信号に応じてプリント注文装置１０の各部を制御する。ＲＯＭ５２には、この装置１０を制御するプログラムが記憶されている。ＣＰＵ５１は、この制御プログラムを起動して、そのプログラムに記述された処理ステップを実行する。ＲＡＭ５３は、プログラムを実行する際の作業用メモリである。
【００４７】
制御プログラムには、操作画面生成処理，絞り込み条件とコマの撮影日付とに基づいてコマを絞り込む絞り込み処理，注文履歴に基づいて操作案内を実行する処理，プリントコマとして指定されたコマの受付処理などの各種の処理ステップが記述されており、これらの処理はＣＰＵ５１によって実行される。ＶＲＡＭ５４は、ディスプレイ１７に表示される画面や画像のデータが書き込まれるビデオメモリである。
【００４８】
伝票出力部５６は、受付伝票用紙に、注文を受けたコマ数やプリントサイズなど受付内容を印字する。各カードリーダ５７ａ，５７ｂ，５７ｃは、各メモリーカード１２ａ，１２ｂ，１２ｃにそれぞれアクセスして記録されたデータを読み取る。顧客カードリーダライタ５８は、顧客カード２２にアクセスして、データの読み取りと書き込みとを行う。
【００４９】
通信インタフェース５９は、受付用ストレージデバイス１３と通信可能に接続するための通信インタフェースである。プリント注文受付装置１０と受付用ストレージデバイス１３は、例えば、ＬＡＮやインターネットを介して接続されている。受付用ストレージデバイス１３へ転送されたデータは、ミニラボ等の業務用プリンタに送られてプリント処理がなされる。もちろん、受付画像データを受付用ストレージデバイス１３を介さずに直接プリンタに送ってもよい。
【００５０】
以下、上記構成による作用について図１０及び１１に示すフローチャートを参照しながら説明する。プリント注文受付装置１０は、スタートボタン３１ａがクリックされると、顧客カード２２の有無を判定する。
【００５１】
顧客カード２２が無い場合には、ＩＤ関連情報の入力画面をディスプレイ１７に表示する。ＩＤ関連情報が入力されると、標準の操作案内を開始する。注文者の操作状況に応じて、メッセージ表示画面３２，プリントメニュー選択画面３３，プリントサイズ選択画面３４が順次表示される。プリントメニュー選択画面３３で「コマを選んでプリント」が選択された場合には、メモリーカード１２内の全コマを含むコマ選択画面３７が表示される。注文者は、このコマ選択画面３７を見ながら、１コマずつコマ指定を行う。他のプリントメニューが選択された場合には、選択されたメニューに応じて一括してプリントコマ指定が行われる。プリントコマ指定が終了すると、注文受付処理が実行される。注文受付処理が終了した後、顧客情報を顧客カード２２に記録して新規に発行する。
【００５２】
他方、顧客カード２２が有る場合には、顧客カード２２内の情報を読み出し、過去の注文履歴に基づいた操作案内を開始する。ＣＰＵ５１は、過去の注文履歴情報に基づいて、前回持ち込まれたメモリーカードの種類を識別し、対応するカードリーダのアクセスランプを点滅させる。図４に示すメッセージ表示画面３２には、カードリーダを案内する案内メッセージが表示される。
【００５３】
メモリーカード１２が装填されると、顧客カード２２が無い場合と同様に、図５に示すプリントメニュー選択画面３３が表示され、プリントメニューが選択されると、図６に示すプリントサイズ選択画面３４が表示される。顧客カード２２が有る場合には、これらプリントメニュー選択画面３３及びプリントサイズ選択画面３４には、前回選択した項目のそれぞれ案内メッセージ３３ｄ，３４ｄが表示される。
【００５４】
プリントメニュー選択画面３３で、「全コマプリント」，「ＤＰＯＦプリント」が選択された場合には、選択されたメニューに応じて一括してプリントコマの指定が行われる。他方、「コマを選んでプリント」が選択された場合には、図７に示すコマ絞り込み画面３６が表示される。コマ絞り込み画面３６にも、前回選択した項目の案内メッセージ３６ｄが表示される。このコマ絞り込み画面３６において、「全コマから選ぶ」が選択されると、メモリーカード１２内の全コマが表示される。
【００５５】
他方、「前回注文時以降の撮影コマから選ぶ」が選択されると、前回の注文日付以降のコマが検索されて、絞り込み条件にヒットしたコマのみがコマ選択画面３７に表示される。また、「再プリント」が選択されると、過去に注文したコマが検索されて、絞り込み条件にヒットしたコマのみがコマ選択画面３７に表示される。このように、コマ選択画面３７には、絞り込まれたコマのみが表示されるので、所望のコマの検索がしやすい。絞り込み条件にヒットしたコマが無い場合には、全コマがコマ選択画面３７に表示される。
【００５６】
プリントコマ指定が終了すると、注文受付処理が実行され、その後、顧客カード２２に今回分の注文履歴が追記されて、顧客カード２２が注文者に返却される。
【００５７】
上記実施形態では、注文履歴を含む顧客情報を顧客カードに記録する例で説明したが、メモリーカードなどの画像情報記録媒体に記録してもよい。また、装置本体に、ハードディスクドライブなどのデータストレージデバイスを設け、このデータストレージデバイスに、当該プリント注文受付装置で受け付けた顧客情報を集約して記録するようにしてもよい。この場合には、各顧客情報は、顧客ＩＤに関連付けて記録される。そして、入力された顧客ＩＤに基づいて、各顧客情報が読み出される。
【００５８】
また、図１２に示すように、複数のプリント注文受付装置６１〜６３と、サーバー６４とをインターネットなどの通信ネットワーク６６を介して通信可能に接続し、各プリント注文受付装置６１〜６３で受け付けた顧客情報を、サーバー６４内のデータストレージデバイス６７に集約して記録するようにしてもよい。この場合にも、入力された顧客ＩＤに基づいて、顧客情報が読み出される。
【００５９】
なお、メモリーカードが装填されたときに、メモリーカードの種類を識別して、前回と異なる種類のメモリーカードが装填された場合には、過去に注文したコマが含まれている可能性が少ないので、コマ絞り込み画面を表示することなく、コマ選択画面に全コマを表示してもよい。
【００６０】
また、上記実施形態の操作画面は、１つの例であり、これ以外にも様々なデザインが考えられる。また、プリントメニューとして、読み出したコマに画像加工を施さない標準的なプリントメニューのみを例に説明したが、プリントメニューには、コマに各種の加工を施してプリントする特殊プリントメニューがあり、こうした特殊プリントメニューを追加してもよい。特殊プリントメニューとしては、例えば、読み出したコマと、予め用意されたテンプレート画像とを合成するテンプレート合成処理，画像を故意にぼかすソフトフイルタ処理，光が当たっている高輝度部分を際だたせるためにクロス処理を施すクロスフイルタ処理など各種のものがある。こうした特殊プリントメニューが選択された場合には、それぞれの操作画面が表示されることになるが、そうした場合でも、過去の注文履歴から該当する操作履歴を抽出して、過去に選択した項目の案内メッセージを表示するとよい。
【００６１】
上記実施形態では、専用のプリント注文受付装置に本発明を適用した例で説明したが、専用の装置でなくてもよく、例えば、パーソナルコンピュータにプリント注文受付ソフトウエアをインストールすることによりプリント注文受付装置を実現してもよい。
【００６２】
また、画像情報記録媒体としては、メモリーカードに限らず，ＣＤ（Ｃｏｍｐａｃｔ  Ｄｉｓｋ）  ，ＤＶＤ（Ｄｉｇｉｔａｌ  Ｖｅｒｓａｔｉｌｅ  Ｄｉｓｋ）  ，ＭＯ（Ｍａｇｎｅｔｉｃ  Ｏｐｔｉｃａｌ）  メディア，ハードディスクなど各種の記録媒体を使用してもよい。
【００６３】
【発明の効果】
以上詳細に説明したように、本発明は、過去の注文履歴情報に基づいて、プリント注文受付装置のコマ選択画面に優先的に表示するコマを絞り込むようにしたから、煩雑な事前作業を行うことなくコマの検索がしやすいコマ選択画面を表示することができる。
【００６４】
また、前記注文履歴情報には、さらに、過去の注文操作履歴情報が含まれており、この注文操作履歴情報に基づいて、操作案内を行うようにしたから、操作方法が分かりやすい。
【図面の簡単な説明】
【図１】プリント注文受付装置の外観図である。
【図２】Ｅｘｉｆ形式の画像ファイルの説明図である。
【図３】顧客情報の説明図である。
【図４】メッセージ表示画面の説明図である。
【図５】プリントメニュー選択画面の説明図である。
【図６】プリントサイズ選択画面の説明図である。
【図７】コマ絞り込み画面の説明図である。
【図８】コマ選択画面の説明図である。
【図９】プリント注文受付装置の電気構成の概略を示すブロック図である。
【図１０】プリント注文手順を示す全体のフローチャートである。
【図１１】プリント注文手順の一部を示すフローチャートである。
【図１２】ネットワークで接続された外部データストレージに顧客情報を記録する例を示す説明図である。
【符号の説明】
１０  プリント注文受付装置
１２  メモリーカード
１７  ディスプレイ
２２  顧客カード
３１  初期画面
３２  メッセージ表示画面
３２ｄ，３３ｄ，３４ｄ，３６ｄ  案内メッセージ
３３  プリントメニュー選択画面
３４  プリントサイズ選択画面
３６  コマ絞り込み画面
３７  コマ選択画面
５１  ＣＰＵ
５２  ＲＯＭ
【図１】
2004302762.tif 000003
【図２】
2004302762.tif 000004
【図３】
2004302762.tif 000005
【図４】
2004302762.tif 000006
【図５】
2004302762.tif 000007
【図６】
2004302762.tif 000008
【図７】
2004302762.tif 000009
【図８】
2004302762.tif 000010
【図９】
2004302762.tif 000011
【図１０】
2004302762.tif 000012
【図１１】
2004302762.tif 000013
【図１２】
2004302762.tif 000014